(57)【特許請求の範囲】
【請求項１】
基台と、該基台に取り外し可能に設置する回収用具本体とからなる雨水枡のゴミ回収用具であって、
前記基台は、
略正方形を呈するフレームと、少なくとも当該フレームの角部に配した脚とを備え、
フレームを構成する各ステーは、略中央部に配したヒンジを介して上方に向かって折り畳み可能とする一方、
前記回収用具本体は、
その上端部を基台のフレームに対して着脱可能に装着することを特徴とする雨水枡のゴミ回収用具。
【請求項２】
回収用具本体は、基台のフレームに装着可能な支持枠と、当該支持枠に上端部を装着させる容器体とからなることを特徴とする請求項１記載の雨水枡のゴミ回収用具。
【請求項３】
回収用具本体を構成する支持枠は、その外周端部に雨水枡の壁面に当接する防水リブを備え、当該防水リブは柔軟性樹脂材によって成形することを特徴とする請求項２記載の雨水枡のゴミ回収用具。
【請求項４】
回収用具本体を構成する支持枠は、その略中間部に配したヒンジを介して上方に向かって折り畳み可能であることを特徴とする請求項２または請求項３記載の雨水枡のゴミ回収用具。
【発明の詳細な説明】
【０００１】
【発明の属する技術分野】
本発明は、雨水枡に溜まるゴミの回収用具に係り、とくに既存の雨水枡に適用可能な用具の構造に関する。
【０００２】
【従来の技術】
街路や住宅街に設けられる雨水枡（集水枡）は、例えば図９に示すように、上部開口１が狭く成形され、下に向かって広がる拡開面２を備え、下方空間３が広く成形されることが多い。４はグレーチング（蓋体）、５は排水管である。
【０００３】
雨水枡の上部開口１を狭く成形してあるのは、グレーチング４の設置の容易や安定を図るためであり、また子供の転落事故を防止する等の目的による。従来、雨水枡の底部に溜まったゴミ６を回収する場合は、柄杓状の回収用具、あるいはバキュームによる吸引清掃が行われた。
【０００４】
【発明が解決しようとする課題】
問題は、雨水枡に溜まったゴミ６の回収作業の繁雑である。柄杓状の回収用具を使うにしても、雨水枡の底面はグレーチング４から約１ｍほど下にあり、かがんで作業するのも容易ではない。バキューム装置を用いれば作業負担は軽減されるが、作業コストが嵩む上、泥や雑多なゴミによる目詰まりが生ずるなど、必ずしもスムースに作業を行えるわけではない。
【０００５】
一方、ゴミを回収するための篭（バスケット）の設置も考えられるが、上部開口１が狭いために、底面内周に接するようなきちんとした形状の篭を雨水枡の内部に設置することが出来ず、ゴミ回収用の篭の利用も限定されたものとなる。
【０００６】
例えば、特開平１１−１４７５３９号公報には、グレーチング４に引っかけて使用するゴミ回収容器（篭）が開示されている。しかし、このような構造だと、グレーチング４から入り込むゴミの回収効率はよくても、側溝など横方向に連結された集水手段を介して流れ込むゴミを回収することは出来ない。このため、雨水枡の底部に溜まるゴミ６はそのまま残り、吸引清掃等の従来通りの清掃方法をとらざるを得ないことになる。
【０００７】
そこで本発明の目的は、上部開口１が狭い雨水枡において、底面に溜まるゴミを効率よく回収可能とすることにある。
【０００８】
【課題を解決するための手段】
前記目的を達成するため、本発明に係る雨水枡のゴミ回収用具は、基台と、該基台に取り外し可能に設置する回収用具本体とからなる雨水枡のゴミ回収用具であって、前記基台は、略正方形を呈するフレームと、少なくとも当該フレームの角部に配した脚とを備え、フレームを構成する各ステーは、略中央部に配したヒンジを介して上方に向かって折り畳み可能とする一方、前記回収用具本体は、その上端部を基台のフレームに対して着脱可能に装着する。
【０００９】
回収用具本体は、基台のフレームに装着可能な支持枠と、当該支持枠に上端部を装着させる容器体とから構成する場合があり、回収用具本体を構成する支持枠は、その外周端部に雨水枡の壁面に当接する防水リブを備え、当該防水リブは柔軟性樹脂材によって成形する場合がある。また、回収用具本体を構成する支持枠は、その略中間部に配したヒンジを介して上方に向かって折り畳み可能とする場合がある。
【００１０】
【作用】
本発明に係る雨水枡のゴミ回収用具は、基台と、基台に取り外し可能に設置する回収用具本体とからなり、少なくとも基台を折り畳み可能として、雨水枡の底部に配置可能とする一方、この基台に回収用具本体を取り付ける。
【００１１】
折り畳み可能とする基台は、略正方形を呈するフレームをヒンジによって中折れさせ、狭い上部開口（１）から内部に入れて拡開させ底部に設置する。フレームは、雨水枡の内周面に応じた形状としておく。展開可能な基台を配した後、この基台を使って回収用具本体を設置するが、回収用具本体の形状や構造は特に限定されない。基台には脚部があるので、回収用具本体の深さは自由に設計でき、また基台の外周側面が雨水枡の内周面と接する状態であれば、回収用具本体からのゴミの取りこぼしもないからである（請求項１）。
【００１２】
基台のフレームに装着可能な支持枠を用い、この支持枠にゴミ回収容器の上端部を装着させると、回収用具本体の装着と取り外しはより容易となる。支持枠を折り畳み可能とすれば（請求項４）、その大きさを自由に設定できる一方で、ゴミ回収容器の上端部の装着構造も自由に設計できるようになるからである（請求項２）。
【００１３】
また、支持枠の外周端部に雨水枡の内壁に当接する防水リブを設けると、ゴミの取りこぼしはより確実に防止できる（請求項３）。原理的には基台に防水リブを設けても同じ効果を得るが、回収が簡単な支持枠に防水リブを設けた方が洗浄などのメンテナンスもしやすい。清掃時に、基台はそのまま底部に残しておいても良いからである。
【００１４】
【発明の実施の形態】
図１〜図４は、本発明に係る雨水枡のゴミ回収用具の第一の実施形態を示す図である。このゴミ回収用具は、図１および図２に示す基台１０と、図３に示す支持枠２０、および図４に示す回収容器３０を備える。
【００１５】
まず基台１０を説明する。基台１０は、本発明に係るゴミ回収用具の基礎となるもので、基台１０を雨水枡の底部に配置することにより、爾後、各種の形状／構造をもつ回収用器（回収用具本体）を着脱自在に設することが可能となる。
【００１６】
図１に示すように、基台１０は、略正方形を呈するフレーム１１と、フレーム１１の角部に配した４個の脚１２とを備えてなる。フレーム１１を構成する四本のステー１４は、略中央部に配したヒンジ１５を介して上方に向かって折り畳み可能としてある。また各ステー１４の両端部は、ヒンジ１６を介して脚１２に開動可能となるよう軸支してある。
【００１７】
ステー１４の略中央部に配するヒンジ１５は、最大展開時でもストッパによって１８０度以上の動きを制限する構造のもので、直線状に展開したステー１４は中間部（１５部分）で上方に折れ曲がるが、下方には回動しない。
【００１８】
ヒンジ１５，１６によって一定の動きを呈するステー１４は、収納／展開時には、例えば図２に示すように、脚１２同士の離間距離を自由に縮小／拡大することが出来る構造となる。従って、雨水枡の上部開口１が小さい場合でも、ステー１４を収縮させた状態（脚１２の離間距離を小さくした状態）で内部に入れ、適当な操作器具（例えば棒状のもの）を利用してステー１４を展開させることにより、雨水枡の内壁にほぼ接する状態でフレーム１１を底部に配置することが出来る。
【００１９】
一方、この基台１０のフレーム１１の上には、例えば図３に示すような支持枠２０を載置する。この支持枠２０は、例えば幅広のパネル材２１を四枚用い、その中間部にヒンジ２２を設けて上方に折り畳み可能としておく。そして下端面の外側に基台１０のステー１４を嵌入させる凹部２４を設ける。
【００２０】
パネル材２１の両端部の接続（角部の接続）は、基台１０を構成する脚１２のヒンジ１６と同様に各パネル材２１を回動自在に軸支するヒンジ（図示せず）を用いて接続しておく。
【００２１】
このようによれば、支持枠２０もまたパネル材２１を折り畳んだ状態で雨水枡に入れ、内部で展開させて凹部２４をステー１４に嵌合させることにより、基台１０のフレーム１１の上に取り付けることが可能となる。
【００２２】
図４は、かかる支持枠２０を利用して収納容器３０を取り付けた状態を例示するものである。支持枠２０を幅広のパネル材２１によって構成するのは、支持枠２０の内周縁部をある程度内側に寄せて、ここに取り付ける収納容器３０の外周寸法を小さくするためである。
【００２３】
この実施形態では、収納容器３０はネットバスケット３１を使用し、ネットバスケット３１の上端外周部に取付枠３３を配した構造をとる。後に説明するように、このような収納容器も縮小可能の構造と出来るが、少なくとも、この実施形態に係る取付枠３３を例えば固定構造とした場合、その幅寸法が小さくなければ雨水枡の上部開口１から入れることが出来ない。そこで、縮小させない回収用器３０を使用する場合には、支持枠２０の内周面積を小さくし、そのパネル材２１縁部の形状と寸法に見合った取付枠３３を用いてネットバスケット３１を取り付ける。
【００２４】
尚、図４において符号３５は、ゴミの回収時にネットバスケット３１を引き上げるためのフックである。ネットバスケット３１は、取付枠３３から斜め下方に傾斜する傾斜面３６と、四面の傾斜面３６によって外周を囲われる底面３７をもつ凹部形状に成形してある。基台１０の脚１２の上下寸法は、ネットバスケット３１の深さ寸法（傾斜面３６の上下寸法）に見合うよう設定しておく。
【００２５】
従って、かかる構成によれば、雨水枡の上部開口１が小さい場合でも、収縮／展開が可能な基台１０をまず底部に設置し、次いで基台１０の上に収縮／展開が可能な支持枠２０を取り付け、この支持枠２０を利用して各種の収納容器３０を着脱自在に取り付けることが出来る。収納容器３０は、フック３５を備えるので、ゴミ回収時には当該フック３５を利用してネットバスケット３１を引き上げ、洗浄等、適宜の処理を行った後、再び雨水枡に戻して支持枠２０に取り付けることが出来る。
【００２６】
尚、基台１０を構成するステー１４の材質や形状は限定されないが、材質は耐水性のある発錆しにくいもの、例えばアルミや樹脂を使用することが望ましい。また基台１０を利用して、その上に支持枠２０または回収用器３０を取り付けることを考慮すれば、ステー１４の形状は断面略コ字状または角柱状とすることが望ましい。支持枠２０も耐水性のある難錆素材を使用することが望ましい。またネットバスケット３１は、金網、樹脂ネットのいずれを使用しても良い。
【００２７】
図５は、基台１０の上に配置する支持枠の他の構造を例示するものである。この支持枠４０は、基本的には前記支持枠２０と同様の構造であるが、パネル材４１の幅寸法を前述のパネル材２１よりも格段に狭くしてあり、基台１０のフレーム１１にちょうど載る程度の幅寸法に設計した。
【００２８】
中間部に設けたヒンジ４２は、前記パネル材２１の中間部に設けたヒンジ２２と同様に、パネル材４１を上方に折り畳み可能とする手段である。またパネル材４１同士の連結部（両端部：角部）も、図示しないヒンジによって上下方向に回動可能に連結しておく。４３は、パネル材４１の角部に配したシール材である。またパネル材４１の外周縁部にも、シール材４４を配しておく。これらのシール材４３，４４は、雨水枡の内周面に圧接（または当接）した状態を保つよう、材質、肉厚、配設角度を設定する。良好な圧接状態を保ちうる十分な寸法をもったゴム材を用いることが望ましい。
【００２９】
シール材４３、４４は、雨水枡の底面に小さなゴミ（土粒を含む）が逃げないようにするためのもので、シール材４３，４４が経年劣化しない限り、ほぼ満足できる程度にすべてのゴミを下方の回収用器に集めることが出来る。
【００３０】
この実施形態に係る支持枠４０が、幅の狭いパネル材４１を利用するのは、支持枠４０に取り付ける回収用器の上部面積を大きくし、結果として回収用器の容量より拡大するためである。
【００３１】
図６は、パネル材４１の断面形状を例示するもので、符号４５は、シール材４４の基端部を固定するための係止部、４７は、例えば図７に示すような回収容器６０の上端外周部に配したフック６１を係合させる係止フックである。
【００３２】
この実施形態では、シール材４４の基端部を固定するための係止部４５を円弧状に示してあるが、シール材４４の基端部を確実に係合固定できればよいので、その断面形状は特に限定されない。また係止フック４７は、この実施形態では約３０〜３５度に傾斜させて示してあるが、回収容器６０が柔軟素材である場合には、係止フック４７を鉛直方向に垂下させても構わない。
【００３３】
何故なら、樹脂ネットや透水性布地材のような柔軟素材を用いた回収容器６０の場合、その上端部は自由に収縮変形するため、最終的に略正方形を呈するフック６１も雨水枡の上部開口１から収縮させた状態で内部に入れ、内部で展開して係止フック４７に取り付けることが出来るからである。
【００３４】
尚、本実施形態に係る回収容器６０の素材は、収縮させて雨水枡の上部開口１から内部に入れて取り出すことの可能な柔軟素材であって、透水性を備える限り金属ネット、樹脂ネット、天然布地、樹脂系布地など、その種類を問わない。上端外周部に配するフック６１は樹脂又はアルミ等、耐水性のある難錆材を使用する。またフック６１は、回収容器６０の上端外周部の全体に配する必要はなく、適宜位置に離隔配置しても構わない。
【００３５】
図８は、回収容器６０として樹脂ネットを用いた場合を例示する。この場合は回収が容易になるよう、適宜箇所、例えば隅角部に配したシール材４３にリング材８１を固定し、リング材８１内にワイヤ８２を挿通しておく。パネル材４１が伸びきった状態ではワイヤ８２もほぼ展張した状態（若干の弛み余裕があっても良い）となっている。ゴミ６の回収時には、フック状の操作棒８３を使ってこのワイヤ８２を引っかけ、引き上げれば、支持枠４０は全体がヒンジ箇所で折れ曲がって収縮し、柔軟な回収容器６０とともに外部に取り出すことが出来る。装着時も逆の操作をすれば良い。ワイヤ８２は細い金属線を使用することが望ましい。リング材８２の取付位置は限定されない。ワイヤ８２が支持枠４０の上面と四隅に環状に張っている状態になっていれば良い。
【００３６】
従って、かかる支持枠４０と回収容器６０を用いた場合は、回収容器６０の容量を確実に増大できる。とくに、柔軟素材を用いた回収容器６０をいわゆるフリル成形しておけば、ゴミの増大に伴って回収容器６０が拡張し、ゴミの回収量をより確実に増大することが出来る。ゴミの回収時は、フック６１を引っかけて回収容器６０を引き上げることが好ましいので、回収容器６０の最大容量は、雨水枡の上部開口１から引き上げ可能な形状と大きさとする必要である。
【００３７】
尚、前記説明では、基台（１０）の上に支持枠（２０、４０）を配する旨説明したが、回収容器の上端部を基台に直接装着する場合には、支持枠（２０、４０）は省略することもできる。但し、支持枠（２０，４０）があれば、回収容器の構造、形状、素材に関する設計変更の自由度が高まり、実用性に優れる。
【００３８】
基台（１０）の脚（１２）の数は４個に制限されない。各ステー（１４）の下部に補助脚を固定させても良いからである。
【００３９】
【発明の効果】
以上説明したように、本発明に係る雨水枡のゴミ回収用具によれば、上部開口が狭い雨水枡であっても、底面に溜まるゴミを効率よく回収可能とすることが出来る。
【図面の簡単な説明】
【図１】  本発明に係る基台を例示する図である。
【図２】図１に示す基台の収縮／展開時の状態を例示する図である。
【図３】第一の実施形態に係る支持枠を例示する図である。
【図４】第一の実施形態に係る回収容器本体を例示する図である。
【図５】第二の実施形態に係る支持枠を例示する図である。
【図６】図５のＸ−Ｘ線断面相当部分を例示する図である。
【図７】第二の実施形態に係る回収容器を例示する図である。
【図８】ワイヤを備える第三の実施形態に係る回収容器を例示する図である。
【図９】一般的な雨水枡を例示する図である。
【符号の説明】
１０  基台
２０、４０  支持枠
３０、６０  回収容器
１１  フレーム
１２  脚
１４  ステー
１５，１６、２２、４２  ヒンジ
２１、４１  パネル材
２４  凹部
３１  ネットバスケット
３３  取付枠
３５、６１  フック
４３、４４  シール材
４７  係止フック
８１  リング材
８２  ワイヤ
８３  操作棒
【図１】
0004098500.tif 000002
【図２】
0004098500.tif 000003
【図３】
0004098500.tif 000004
【図４】
0004098500.tif 000005
【図５】
0004098500.tif 000006
【図６】
0004098500.tif 000007
【図７】
0004098500.tif 000008
【図８】
0004098500.tif 000009
【図９】
0004098500.tif 000010